(57)【特許請求の範囲】
【請求項１】
モバイルワイヤレスコミュニケーションデバイスのためのアンテナアセンブリであって、該アンテナアセンブリは、
電気的に非伝導性の材料の基板であって、該基板は、第一主要表面および第二主要表面を有し、該第一主要表面および該第二主要表面は、該第一主要表面と該第二主要表面との間に延在する外部の端表面を有する、基板と、
該基板に当接し、第一側面、第二側面、第三側面および第四側面を有する支持部であって、該第一側面、第二側面、第三側面および第四側面は、全て、第五側面と第六側面との間に延在し、該支持部は、該第一主要表面に当接し、該第一主要表面から離れるように突き出る第一部分を有し、該第二主要表面に当接し、該第二主要表面から離れるように突き出る第二部分を有し、該第三側面は、該第一主要表面および該第二主要表面および該基板の該外部の端表面に当接する、支持部と、
該支持部の複数の側面上に伝導性のセグメントを有する電気的に伝導性の要素と
を含み、
該電気的に伝導性の要素は、該第四側面に平行に延在する、該第五側面上の第一セグメントと、該第一セグメントに接続される、該第三側面上の第二セグメントと、該第二セグメントに接続される、該第六側面上の第三セグメントと、該第三セグメントに接続される、該第二側面上の第四セグメントと、該第四セグメントに接続される、該第六側面上の第五セグメントとを含む、アンテナアセンブリ。
【請求項２】
前記第二セグメントは、前記第一主要表面と前記第二主要表面との間の前記基板の外側の端表面の周りに延在するＵ形状を有し、前記第一セグメントに接続された１つの端部と前記第三セグメントに接続されたもう１つの端部とを有する、請求項１に記載のアンテナアセンブリ。
【請求項３】
前記電気的に伝導性の要素の前記第三セグメントは、前記第二セグメントに接続された１つの端部と、前記第四セグメントに接続されたもう１つの端部とを有するＬ形状を有する、請求項１に記載のアンテナアセンブリ。
【請求項４】
前記第四セグメントは、前記第三セグメントに接続された１つの端部と、前記第五セグメントに接続されたもう１つの端部とを有するＵ形状を有する、請求項１に記載のアンテナアセンブリ。
【請求項５】
前記第五側面上に電気的に伝導性のパッチをさらに含む、請求項１に記載のアンテナアセンブリ。
【請求項６】
前記第一側面上に電気的に伝導性のパッチをさらに含む、請求項１に記載のアンテナアセンブリ。
【請求項７】
前記第一側面上にあり、かつ、前記第五側面上のＬ形状をした伝導性のエリアに接続された伝導性のエリアを含む電気的に伝導性のパッチをさらに含む、請求項１に記載のアンテナアセンブリ。
【請求項８】
前記支持部の前記第三側面は、前記基板の１つの側面上の第一セクションと、該基板の反対の側面上の第二セクションとを有し、該第二セグメントは、前記第三側面の全ての露出されたエリアを覆う、請求項１に記載のアンテナアセンブリ。
【請求項９】
前記支持部上にあり、かつ、無線周波数回路に連結するための前記電気的に伝導性の要素の１つの端部の近位に接続されたターミナルストリップをさらに含む、請求項１に記載のアンテナアセンブリ。
【請求項１０】
前記支持部は、固体である、請求項１に記載のアンテナアセンブリ。
【請求項１１】
前記基板は、前記支持部から離間された、前記第二主要表面の一部上の電気的に伝導性の材料の層をさらに含む、請求項１に記載のアンテナアセンブリ。
【請求項１２】
モバイルワイヤレスコミュニケーションデバイスのためのアンテナアセンブリであって、該アンテナアセンブリは、
第一主要表面および第二主要表面を有し、該第二主要表面の第一部分上に伝導性の層を有する、電気的に非伝導性の材料の基板と、
第一側面、第二側面、第三側面および第四側面を有する支持部であって、該第一側面、第二側面、第三側面および第四側面は、全て、第五側面と第六側面との間に延在し、該基板は、該支持部に当接することによって、該第三側面を、該第一主要表面と隣接する該基板の１つの側面上の第一セクションと、該第二主要表面と隣接する該基板の反対の側面上の第二セクションとに分割し、第四側面を、該基板の１つの側面に隣接する第三セクションと該基板の反対の側面に隣接する第四セクションとに分割する、支持部と、
該支持部の側面上の電気的に伝導性のストライプであって、該ストライプは、該第三側面の端から端に対して直交して延在する、該第五側面上の第一セグメントと、該第一セグメントに接続され、該第三側面の該第一セクションおよび第二セクションの両方の上にある第二セグメントと、該第二セグメントに接続され、該第六側面上にある第三セグメントと、該第三セグメントに接続され、該第二側面上にある第四セグメントと、該第四セグメントに接続され、該第六側面上の第五セグメントとを含む、ストライプと、
該第一側面上の第一の伝導性の領域と、該第五側面上にあり、該第一の伝導性の領域に接続される第二の伝導性の領域とを含む伝導性のパッチと
を含む、アンテナアセンブリ。
【請求項１３】
前記伝導性のパッチの第二の伝導性の領域は、前記第一セクションに接続された第一脚と、該第一脚から延在している第二脚とを有するＬ形状を有する、請求項１２に記載のアンテナアセンブリ。
【請求項１４】
前記第二セグメントは、前記第一セグメントに接続された１つの端部と、前記第三セグメントに接続されたもう１つの端部とを有するＵ形状を有する、請求項１２に記載のアンテナアセンブリ。
【請求項１５】
前記第二セグメントは、前記支持部の前記第三側面の全ての露出されたエリアを覆う、請求項１２に記載のアンテナアセンブリ。
【請求項１６】
前記電気的に伝導性のストライプの前記第三セグメントは、前記第二セグメントに接続された１つの端部と、前記第四セグメントに接続されたもう１つの端部とを有するＬ形状を有する、請求項１２に記載のアンテナアセンブリ。
【請求項１７】
前記第四セグメントは、前記第三セグメントに接続された１つの端部と、前記第五セグメントに接続されたもう１つの端部とを有するＵ形状を有する、請求項１２に記載のアンテナアセンブリ。
【請求項１８】
無線周波数回路に電気的に伝導性のストライプを連結するために、前記第一セグメントに接続された、前記支持部上のターミナルストリップをさらに含む、請求項１２に記載のアンテナアセンブリ。
【請求項１９】
前記第二主要表面の一部上の伝導性の材料の層は、前記支持部から離間している、請求項１２に記載のアンテナアセンブリ。
【発明の詳細な説明】
【技術分野】
【０００１】
（関連出願の相互参照）
本願は、２００８年１１月２６日に出願された、発明の名称が「ＬＯＷ  ＰＲＯＦＩＬＥ，  ＦＯＬＤＥＤ  ＡＮＴＥＮＮＡ  ＡＳＳＥＭＢＬＹ  ＦＯＲ  ＨＡＮＤＨＥＬＤ  ＣＯＭＭＵＮＩＣＡＴＩＯＮ  ＤＥＶＩＣＥＳ」の米国特許出願第１２／３２３，６６４号の出願日の利益を主張する。
【０００２】
上記特許出願の内容は、参照することにより、本明細書により、明確に本明細書の詳細な説明に援用されている。
【０００３】
（本開示の背景）
１．技術分野
本発明は、一般的にアンテナに関し、より具体的には、パーソナルデジタルアシスタント、セルラ電話およびワイヤレス２方向ｅメールコミュニケーションデバイスのような、ワイヤレスモバイルコミュニケーションデバイスにおける使用に特に適した、複数の周波数バンドアンテナに関する。
【背景技術】
【０００４】
２．関連技術の説明
パーソナルデジタルアシスタント、セルラ電話およびワイヤレス２方向ｅメールコミュニケーション装置のような異なるタイプのワイヤレスモバイルコミュニケーションデバイスが利用可能である。これらのデバイスの多くは、ユーザーである人に簡単に収容されることが意図されており、しばしばシャツまたはコートのポケットに適合する。
【０００５】
モバイルコミュニケーションデバイスのアンテナアセンブリ構成は、デバイスの全体のサイズまたはフットプリントに有意に影響し得る。例えば、セルラ電話は、ＧＳＭ８００ＭＨｚ／９００ＭＨｚ／１８００ＭＨｚ／１９００ＭＨｚバンド、ＵＭＴＳ２１００ＭＨｚバンドのような複数の動作周波数バンドにおけるコミュニケーションおよび５ＧＨｚバンドにおけるコミュニケーションをサポートするアンテナアセンブリ構造を典型的には有する。加えて、モバイルコミュニケーションデバイスは、しばしば、２４５０ＭＨｚバンドおよびＢｌｕｅｔｏｏｔｈ（登録商標）（Ｂｌｕｅｔｏｏｔｈ  Ｓｉｇ，  Ｉｎｃ，  Ｂｅｌｌｅｖｕｅ，  ＷＡ，  ＵＳＡの登録商標）のようなワイヤレス技術を用いた周辺機器とインターフェイスで接続することが可能である。例えば、らせん状アンテナ、「逆Ｆ」アンテナ、折り畳み双極アンテナおよび収縮可能アンテナアセンブリ構造のような、モバイルデバイスのためのさまざまなタイプのアンテナが用いられる。らせん状のアンテナおよび収縮可能アンテナは、典型的にはモバイルデバイスの外側にインストールされる。逆Ｆアンテナは、通常、デバイスのケースまたはハウジングの内側に配置される。一般的に、内部アンテナは、モバイルコミュニケーションデバイスに対して、外部アンテナの代わりに、機械的および人間工学的理由で用いられる。内部アンテナは、モバイルデバイスのケースおよびハウジングにより保護されており、そのため、外部アンテナよりも耐久可能である傾向がある。外部アンテナは、また、モバイルデバイスの周囲に物理的に干渉し得、特にスペースが限定された環境で、モバイルデバイスを用いることを難しくする。
【発明の概要】
【発明が解決しようとする課題】
【０００６】
しかし、いくつかのタイプのモバイルコミュニケーションデバイスにおいて、公知の内部構造およびデザイン技術は、少なくとも、ある動作位置において、比較的脆弱なコミュニケーション信号発信および受信を提供する。モバイルデバイスデザインに対する最も大きな課題の１つは、さまざまな用途に対して、アンテナアセンブリが、効果的に動作することを保証することであり、このことは、人体に関するアンテナアセンブリの位置を決定する。例えば、モバイルデバイスの典型的な動作位置は、データ入力位置（ユーザーが電話番号またはｅメールメッセージを入力しているときのような、モバイルデバイスを片手または両手で持った位置）、音声コミュニケーション位置（モバイルデバイスはユーザーの頭の隣に保持され得、スピーカーおよびマイクロフォンは、会話を継続するために用いられる）および「セットダウン」位置（モバイルデバイスがユーザーにより用いられておらず、表面を下にして置かれ、ホルダーの中にしまわれ、または他の格納装置の中、装置上に保持されている）を含む。これらの位置において、ユーザーの体の一部および他の周囲の物体が、アンテナアセンブリを妨害し得、アンテナアセンブリのパフォーマンスを下げ得る。公知の内部アンテナ（デバイスハウジングに埋め込まれている）は、特に、モバイルデバイスが、音声コミュニケーション位置にある場合、比較的脆弱にふるまう傾向がある。モバイルデバイスは、セットダウン位置にある場合、ユーザーにより、積極的に採用されているわけではないが、アンテナアセンブリは、まだ機能しているべきであり、少なくとも、コミュニケーション信号を受信する。
【０００７】
ユーザーの手に好都合に適合するサイズのモバイルコミュニケーションデバイスの構成を獲得するという要望は、アンテナアセンブリデザインに対して課題を示す。これは、比較的より大きなサイズを必要とするアンテナアセンブリパフォーマンスと、デバイス内のアンテナアセンブリに対する利用可能なスペースとの間のトレードオフを示す。より大きな内部アンテナアセンブリは、しばしば、直接、モバイルコミュニケーションデバイスの厚さに影響を与える。
【０００８】
そのため、モバイルコミュニケーションデバイスが、可能な限り薄く作られ得るように、アンテナアセンブリの厚さを減じることが望ましい。
【課題を解決するための手段】
【０００９】
本アンテナアセンブリは、パーソナルデジタルアシスタント、セルラ電話およびワイヤレス２方向ｅメールコミュニケーションデバイスのような、モバイルワイヤレスコミュニケーションデバイスにおける使用のため特に適合されている。それらモバイルワイヤレスコミュニケーションデバイスは、略して、本明細書では「（複数の）モバイルデバイス」および個々には「（単数の）モバイルデバイス」と呼ぶ。さらに、本アンテナアセンブリは、セルラ電話の一部として用いられることに具体的に関連して説明される。
【図面の簡単な説明】
【００１０】
【図１】図１は、モバイルワイヤレスコミュニケーションデバイスの概略的描写である。
【図２】図２は、モバイルワイヤレスコミュニケーションデバイスのための電子回路の概略的ブロック図である。
【図３】図３は、コミュニケーションデバイスのアンテナアセンブリが搭載される誘電性基板の上からの透視図である。
【図４】図４は、誘電性基板の上からのもう１つの透視図である。
【図５】図５は、誘電性基板の下からの透視図である。
【図６】図６は、アンテナアセンブリが形成される支持部の３つの表面を示す、第一アングルからの拡大された透視図である。
【図７】図７は、支持部の３つの表面の詳細を示す、二番目の第一アングルからの拡大された透視図である。
【図８】図８は、誘電性基板および支持部の下からの拡大された透視図である。
【発明を実施するための形態】
【００１１】
（発明の詳細な説明）
はじめに図１および図２を参照すると、モバイルセルラー方式のデバイスのようなモバイルデバイス２０が、例示的にハウジング２１を含み、これは多くのセルラ電話で用いられているものに類似した、固定タイプ、フリップタイプまたはスライドタイプのハウジングであり得る。それでも、それらや他のハウジング構成も、また、用いられ得る。
【００１２】
ハウジング２１は、モバイルデバイス２０に対する一次回路２４が例えば搭載された、プリント配線基板（ＰＣＢ）のような主要な誘電性基板２２を含む。この一次回路２４は、図２でより詳細に示されるように、典型的にはマイクロプロセッサ２５と、ランダムアクセスメモリ（ＲＡＭ）２６および、非揮発性格納を提供するフラッシュメモリ２７を含むメモリとを含む。シリアルポート２８は、メカニズムを構成し、そのメカニズムを介して、パーソナルコンピューターのような外部デバイスはモバイルデバイス２０に接続され得る。ディスプレイ２９およびキーボード３０は、モバイルデバイスを制御するためのユーザーインターフェイスを提供する。
【００１３】
マイクロフォン３１のような音声入力デバイス、およびスピーカー３３のような音声出力デバイスは、ユーザーに対する音声インターフェイスとして機能し、第一回路２４に接続される。バッテリー２３は、電力を内部コンポーネントに供給するため、ハウジング２１内に収容される。
【００１４】
コミュニケーション機能は、複数の周波数バンドアンテナアセンブリ４０に接続されたワイヤレス信号受信器３６およびワイヤレス信号送信器３８を含む無線周波数回路３４を通して実行される。アンテナアセンブリ４０はハウジング２１の下部内に収容され、これは有利にも、電話が使用されているとき、アンテナアセンブリとユーザーの頭の間の距離を増加させ、適用可能なＳＡＲ要件に従うことを助ける。アンテナアセンブリは、本明細書で後ほどより詳細に説明される。
【００１５】
無線周波数回路３４は、また、デジタル信号プロセッサ（ＤＳＰ）４２および局部発振器（ＬＯ）４４を含む。無線周波数回路３４の具体的なデザインおよびインプリメンテーションはコミュニケーションネットワークに依存し、このネットワーク内でモバイルデバイス２０が動作することが意図される。例えば、北アメリカでの使用が決められているデバイスは、ＭｏｂｉｔｅｘＴＭモバイルコミュニケーションシステムまたはＤａｔａＴＡＣＴＭモバイルコミュニケーションシステム内で動作するようにデザインされ得、一方で、ヨーロッパにおける使用が意図されるデバイスは汎用パケット無線サービス（ＧＰＲＳ）コミュニケーションサブシステムを組み込み得る。
【００１６】
所望のネットワーク登録または起動手続きが完了したとき、モバイルデバイス２０は、コミュニケーションネットワーク４６に対して信号を送り、受信する。複数の周波数バンドアンテナアセンブリ４０により、コミュニケーションネットワーク４６から受信された信号は、受信器３６に入力され、受信器は、信号増幅、周波数下方変換、フィルタリング、チャンネル選択およびアナログ−デジタル変換を実行する。受信された信号のアナログ−デジタル変換は、ＤＳＰ４２が、復調および復号化などのより複雑なコミュニケーション機能を実行することを可能にする。類似の方法で、送信される信号はＤＳＰ４２により処理され、デジタル−アナログ変換、周波数上方変換、フィルタリング、増幅、およびアンテナアセンブリ４０を介してコミュニケーションネットワーク４６に対する送信のために、送信器３８へ送られる。
【００１７】
モバイルデバイス２０は、また、当業者により認められるように、例えばＷＬＡＮ（例えばＢｌｕｅｔｏｏｔｈ（登録商標）、ＩＥＥＥ．８０２．１１）アンテナアセンブリ、およびＷＬＡＮコミュニケーション能力のための回路、および／または位置場所能力を提供する衛星位置把握システム（例えばＧＰＳ、Ｇａｌｉｌｅｏなど）受信器およびアンテナアセンブリのような１つ以上の補助的入力／出力デバイス４８を構成し得る。補助的Ｉ／Ｏデバイス４８の他の例は、第二音声出力変換器（例えばスピーカーホン動作のためのスピーカー）、およびデジタルカメラ能力を提供するカメラレンズ、電気デバイスコネクター（例えば、ＵＳＢ、ヘッドホン、ｓｅｃｕｒｅ  ｄｉｇｉｔａｌ（ＳＤ）、またはメモリカードなど）を含む。
【００１８】
本明細書で説明されるアンテナアセンブリ４０に対する構造は、アンテナアセンブリを複数の周波数バンドにおける動作に同調するようにサイズおよび形が合わせられる。下記で詳細に説明される本発明の実施形態において、複数バンドアンテナアセンブリは、第一に、異なる動作周波数バンドに関連付けられ、それによって、アンテナアセンブリが、複数のバンドモバイルデバイスにおいてアンテナアセンブリとして機能することを可能にする構造を含む。例えば、複数バンドアンテナアセンブリ４０は、世界移動電話規格コミュニケーション（ＧＳＭ）９００ＭＨｚ周波数バンドおよびデジタルセルラーシステム（ＤＣＳ）周波数バンドで動作するように適合されている。当業者は、ＧＳＭ−９００バンドが、８８０〜９１５ＭＨｚ送信サブバンドおよび９２５〜９６０ＭＨｚ受信サブバンドを含むことを認める。ＤＣＳ周波数バンドは同様に、１７１０〜１７８５ＭＨｚレンジの送信サブバンドおよび１８０５〜１８８０ＭＨｚレンジの受信サブバンドを含む。アンテナアセンブリ４０は、また、ユニバーサル移動体通信システム（ＵＭＴＳ）２１００ＭＨｚバンドで機能し、５ＧＨｚバンドで機能する。モバイルデバイス２０は、また、２４５０ＭＨｚバンドでＢｌｕｅｔｏｏｔｈ（登録商標）プロトコルを用いて、周辺機器にインターフェイスで接続可能であり得る。これらの周波数帯域は、例示的な目的のみであって、本アンテナアセンブリの基本的な概念は周波数バンドの別のペアにおいて動作するように適用され得ることは、当業者により理解される。
【００１９】
図３、図４および図５に関して、電気的に非伝導性の基板２２（その基板上にモバイルデバイスのための電子回路が形成される）は、従来プリント配線盤に用いられるタイプの誘電性材料の平らなシートを構成する。誘電性基板は、ＦＲ−４ラミネートから構成され得、それはエポキシ樹脂接合剤で満たされた連続的なガラス織りの布である。例えば、誘電性基板は、１．５ｍｍの厚さを有し、モバイルデバイスハウジング２１およびデバイスのコンポーネントのサイズにより決定された長さと幅を有する。平らである代わりに、誘電性基板２２は、ハウジング２１の内側の形に合うように形作られ得る。誘電性基板２２は、伝導性のパターンの１つ以上の層を有する第一主要表面５０を有し、ここに回路コンポーネントが、例えば半田付けによって接続される。誘電性基板２２の反対の第二主要表面５１は、銅のような伝導性の材料の層５２を有し、そこへ接触させられる。伝導性の層５２は、誘電性基板２２の１角に搭載されたアンテナアセンブリ４０に隣接する部分を除いて、第二主要表面５１の大部分に渡って延在している。誘電性層５２はモバイルデバイス２０のための基面を形成する。
【００２０】
複数の周波数アンテナアセンブリ４０は特定の電気的に伝導性のパターンを長方形の多面体上に構成し、これはアンテナアセンブリの支持部５４を形成する。１つの実施形態において、アンテナアセンブリ支持部５４は、基板２２の材料と類似した誘電性材料から構築される。基板２２は、長方形の多面体支持部５４の２つの部分５５および５６の間に挟まれる。特定の構成の例として、長方形の多面体支持部５４は、７．５ｍｍの高さであり、基板２２の厚さを含む。そこで、支持部の各部５５、５６は、１．５ｍｍ厚さの基板２２のそれぞれの表面５０、５１から３．０ｍｍ離れて延在する。この例において、アンテナアセンブリ支持部５４は、約２０ｍｍの長さで、幅９ｍｍであり、誘電性基板２２が固定されるスロットを有する固体である。あるいは、アンテナアセンブリ支持部５４は、１．５ｍｍの厚さの誘電性材料のパネルを組み立てた空洞であり、粘着性物質のような適切な手段を用いて、端で誘電性基板２２の主要表面５０および５１に固定される。
【００２１】
図６〜図８に関して、６面長方形多面体支持部５４は第一側面６１、第二側面６２、第三側面６３および第四側面６４を有し、その全ては第五側面６５と第六側面６６との間に延在する。第五側面６５は誘電性基板２２の第一主要表面５０から離間し、平行であり、第六側面６６は第二主要表面５１から離間し、平行である。アンテナアセンブリ支持部５４は、誘電性基板２２の一角に置かれ得、第一側面６１および第二側面６２は、基板の２つの端の部分と接触し、組み込んでいる。基板２２の主要表面は、支持部の第三側面６３に隣接し、そのため、特に図７および図８で見られるように、第一主要表面５０に隣接し、そこから離れて延在する側面の第一セクション６８を限定し、第二主要表面５１に隣接し、そこから離れて延在する第二セクション７０を限定する。第三側面６３のリンクセクション７２は、第一セクション６８および第二セクション７０を接続する。同様にして、基板２２の主要表面は、第四側面６４の全体の長さに渡って、図６に示されるように、その側面を第三セクション７４および第四セクション７６に分割しながら、延在する。第四側面６４の第三セクション７４は、誘電性基板２２の第一主要表面に隣接し、そこから離れるように延在する。一方で、第四セクション７６は、第二主要表面５１に隣接し、そこから離れるように延在する。支持部５４が空洞の場合、支持部の第四側面は誘電性基板２２の１つの側面または両側面上で開いている。
【００２２】
電気的に伝導性のストライプ８０は、支持部５４の周りを包むアンテナ要素を形成し、その支持部の異なる側面上に複数のセグメントを含む。銅などの伝導性の材料の層を、アンテナアセンブリ支持部５４のそれぞれの側面の全体に適用し、次いで、伝導性のパーツが所望されない表面のエリアから、伝導性の材料をエッチングする写真平板処理を用いることにより、伝導性のストライプおよび他の伝導性の部材が形成される。
【００２３】
図６および図７を参照すると、伝導性のストライプ８０は、第五側面６５上に直線の第一セグメント８１を有し、第四側面６４に平行および隣接し、第五側面の長さのほぼ中点の端８２から、第三側面６３に隣接する端まで延在する。第一セグメント８１の端部８２は、第四側面６４の第三セクション７４に渡り、誘電性基板２２の第一主要表面５０上へ延在するターミナルストリップ８３により接続される。このターミナルストリップ８３は、アンテナアセンブリが、図２の無線周波数回路３４に接続されるフィード接続を提供する。支持部の第四側面が開いている場合、ワイヤーまたは他の導線が、第一セグメント８１の端部８２を誘電性基板２２上の無線周波数回路３４に電気的に接続するために用いられる。
【００２４】
図７および図８に見られるように、支持部５４の第三側面６３と第五側面６５との間の端において、伝導性ストライプ８０の第一セグメント８１が、第三側面上のＵ形状をした第二セグメント８４の１つの端部に接続される。具体的には、第二セグメント８４は支持部５４の第三側面６３の第一セクション６８、リンクセクション７２および第二セクション７０に沿って延在する。第一セグメント８１への接続からＵの反対の端部では、第二セグメント８４が第六側面６６（図８参照）へ接触させられた第三セグメント８６へ連結される。第三セグメント８６は、第六側面６６の端に沿った第二セグメント８４への接続から延在する第一脚８７を含むＬ形状を有する。第六側面は、第六側面の長さに沿ってほぼ中点へ第四側面６４を隣接させる。その中点において、第三セグメント８６の第二脚８８は、第二側面６２へ隣接する第六側面６６の端で終端する第一脚８７から直角に延在する。
【００２５】
図８に示される、その後部の端において、第三セグメント８６は、アンテナアセンブリ支持部５４の第二側面６２上の第四セグメント９０に接続される。第四セグメント９０は、Ｕ形状を有し、例示されるデバイスの向きでは、逆Ｕ形状である。このＵの１つの端部は、第三セグメント８６の第二脚８８の終点に接続し、第五側面６５と隣接する第二側面６２の端へ上方に延在する。その点から、第四セグメント９０は、第二側面の端に沿って、第一側面６１に隣接する別の端へと延在し、その点で、第四セグメントは、第六側面６６と隣接する第二側面６２の端へ下方へ終端する。第四セグメント９０の終点から、伝導性のストライプ８０は、第六側面６６に接触させられた第五セグメント９２と共に続き、第三セグメント８６の第二脚８８に平行に延在する。伝導性のストライプ８０は、第五セグメント９２の反対の端で終端する。
【００２６】
図６および図７を再び参照すると、電気的に伝導性のパッチ９４は、第一側面６１と第五側面６５にそれぞれ接触させられる。パッチ９４は、第一側面６１の全体の表面を含む長方形の伝導性のエリア９６を含む。その伝導性のエリア９６は、第五側面６５上のパッチ９４のＬ形状をしたストリップ９８に接続される。Ｌ形状をしたストリップ９８は、第一側面６１と第五側面６５との間の共通端に沿って延在し、伝導性のエリア９６に接続される第一脚９７を有する。Ｌ形状をしたストリップ９８の第二脚９９は、第一脚９７から直角に共通端へと延在する。パッチ９４の長方形の伝導性のエリア９６は、また、第一表面および第二表面が隣接する端で第四セグメント９０に、第一表面および第六表面が隣接する端で第五セグメント９２に電気的に接続される。パッチ９４は、低周波数バンドおよび高周波数バンドで、アンテナのインピーダンス整合を改善する。パッチ９４のロケーションおよびサイズは、アンテナのパフォーマンスを最善にし、アンテナを誘電性基板２２の周りに折り畳むことにより、効果的なアンテナの高さを減じた後で、インピーダンス整合を取り戻すために選ばれる。
【００２７】
そのため、本アンテナアセンブリ４０は、電子回路の他のコンポーネントが、搭載された誘電性基板２２の両側面上に、セクションを有する。そのようにして、アンテナアセンブリを分割することは、デバイスハウジング２１内に要求されるスペースを減じ、そのためモバイルデバイス２０の全体の厚さを、いくつかの先行デザインと比較して減じる。それでも、アンテナ要素を包むことによる、このユニークなアンテナアセンブリ４０は、複数の周波数バンドに対して動作するサイズのアンテナを提供する。
【００２８】
先述の説明は、主に、発明の１つの実施形態に関する。発明の範囲内で、さまざまな代替案に注意が向けられたが、当業者は、発明の実施形態の開示から、ここで明らかな、さらなる代替案に気づくであろうことが、予測される。したがって、発明の範囲は、以下の特許請求の範囲から決定されるべきであり、上記の開示により限定されるべきではない。
（項目１）  モバイルワイヤレスコミュニケーションデバイスのためのアンテナアセンブリであって、該アンテナアセンブリは、
電気的に非伝導性の材料の基板であって、該基板は、第一主要表面および第二主要表面を有する、基板と、
該基板に当接し、第一側面、第二側面、第三側面および第四側面を有する支持部であって、該第一側面、第二側面、第三側面および第四側面は、全て、第五側面と第六側面との間に延在し、該支持部は、該第一主要表面に当接し、該第一主要表面から離れるように突き出る第一部分を有し、該第二主要表面に当接し、該第二主要表面から離れるように突き出る第二部分を有する、支持部と、
該支持部の複数の側面上に伝導性のセグメントを有する電気的に伝導性の要素と
を含む、アンテナアセンブリ。
（項目２）  上記電気的に伝導性の要素は、上記第四側面に平行に延在する、上記第五側面上の第一セグメントと、該第一セグメントに接続される、上記第三側面上の第二セグメントと、該第二セグメントに接続される、上記第六側面上の第三セグメントと、該第三セグメントに接続される、上記第二側面上の第四セグメントと、該第四セグメントに接続される、該第六側面上の第五セグメントとを含む、項目１に記載のアンテナアセンブリ。
（項目３）  上記第二セグメントは、上記第一主要表面と上記第二主要表面との間の上記基板の外側の端表面の周りに延在するＵ形状を有し、上記第一セグメントに接続された１つの端部と上記第三セグメントに接続したもう１つの端部とを有する、項目２に記載のアンテナアセンブリ。
（項目４）  上記電気的に伝導性の要素の上記第三セグメントは、上記第二セグメントに接続された１つの端部と、上記第四セグメントに接続されたもう１つの端部とを有するＬ形状を有する、項目２に記載のアンテナアセンブリ。
（項目５）  上記第四セグメントは、上記第三セグメントに接続された１つの端部と、上記第五セグメントに接続されたもう１つの端部とを有するＵ形状を有する、項目２に記載のアンテナアセンブリ。
（項目６）  上記第五側面上に電気的に伝導性のパッチをさらに含む、項目２に記載のアンテナアセンブリ。
（項目７）  上記第一側面上に電気的に伝導性のパッチをさらに含む、項目２に記載のアンテナアセンブリ。
（項目８）  上記第一側面上にあり、かつ、上記第五側面上のＬ形状をした伝導性のエリアに接続された伝導性のエリアを含む電気的に伝導性のパッチをさらに含む、項目２に記載のアンテナアセンブリ。
（項目９）  上記支持部の上記第三側面は、上記基板の１つの側面上の第一セクションと、該基板の反対の側面上の第二セクションとを有し、該第二セグメントは、上記第三側面の全ての露出されたエリアを覆う、項目２に記載のアンテナアセンブリ。
（項目１０）  上記支持部上にあり、かつ、無線周波数回路に連結するための上記電気的に伝導性の要素の１つの端部の近位に接続されたターミナルストリップをさらに含む、項目１に記載のアンテナアセンブリ。
（項目１１）  上記支持部は、固体である、項目１に記載のアンテナアセンブリ。
（項目１２）  上記基板は、上記支持部から離間された、上記第二主要表面の一部上の電気的に伝導性の材料の層をさらに含む、項目１に記載のアンテナアセンブリ。
（項目１３）  モバイルワイヤレスコミュニケーションデバイスのためのアンテナアセンブリであって、該アンテナアセンブリは、
第一主要表面および第二主要表面を有し、該第二主要表面の第一部分上に伝導性の層を有する、電気的に非伝導性の材料の基板と、
第一側面、第二側面、第三側面および第四側面を有する支持部であって、該第一側面、第二側面、第三側面および第四側面は、全て、第五側面と第六側面との間に延在し、該基板は、該支持部に当接することによって、該第三側面を、該第一主要表面と隣接する該基板の１つの側面上の第一セクションと、該第二主要表面と隣接する該基板の反対の側面上の第二セクションとに分割し、第四側面を、該基板の１つの側面に隣接する第三セクションと該基板の反対の側面に隣接する第四セクションとに分割する、支持部と、
該支持部の側面上の電気的に伝導性のストライプであって、該ストライプは、該第三側面の端から端に対して直交して延在する、該第五側面上の第一セグメントと、該第一セグメントに接続され、該第三側面の該第一セクションおよび第二セクションの両方の上にある第二セグメントと、該第二セグメントに接続され、該第六側面上にある第三セグメントと、該第三セグメントに接続され、該第二側面上にある第四セグメントと、該第四セグメントに接続され、該第六側面上の第五セグメントとを含む、ストライプと、
該第一側面上の第一の伝導性の領域と、該第五側面上にあり、該第一の伝導性の領域に接続される第二の伝導性の領域とを含む伝導性のパッチと
を含む、アンテナアセンブリ。
（項目１４）  上記伝導性のパッチの第二の伝導性の領域は、上記第一セクションに接続された第一脚と、該第一脚から延在している第二脚とを有するＬ形状を有する、項目１３に記載のアンテナアセンブリ。
（項目１５）  上記第二セグメントは、上記第一セグメントに接続された１つの端部と、上記第三セグメントに接続されたもう１つの端部とを有するＵ形状を有する、項目１３に記載のアンテナアセンブリ。
（項目１６）  上記第二セグメントは、上記支持部の上記第三側面の全ての露出されたエリアを覆う、項目１３に記載のアンテナアセンブリ。
（項目１７）  上記電気的に伝導性のストライプの上記第三セグメントは、上記第二セグメントに接続された１つの端部と、上記第四セグメントに接続されたもう１つの端部とを有するＬ形状を有する、項目１３に記載のアンテナアセンブリ。
（項目１８）  上記第四セグメントは、上記第三セグメントに接続された１つの端部と、上記第五セグメントに接続されたもう１つの端部とを有するＵ形状を有する、項目１３に記載のアンテナアセンブリ。
（項目１９）  無線周波数回路に電気的に伝導性のストライプを連結するために、上記第一セグメントに接続された、上記支持部上のターミナルストリップをさらに含む、項目１３に記載のアンテナアセンブリ。
（項目２０）  上記第二主要表面の一部上の伝導性の材料の層は、上記支持部から離間している、項目１３に記載のアンテナアセンブリ。
【図１】
0005302411.tif 000002
【図２】
0005302411.tif 000003
【図３】
0005302411.tif 000004
【図４】
0005302411.tif 000005
【図５】
0005302411.tif 000006
【図６】
0005302411.tif 000007
【図７】
0005302411.tif 000008
【図８】
0005302411.tif 000009